(57)【特許請求の範囲】
【請求項１】
表示装置と少なくとも二つの本体装着確認端子を有する本体コネクタと開閉し閉じて前記表示装置を固定する固定カバーと前記固定カバーの開閉を検出するセンサーにより前記表示装置の固定を示す固定確認信号を出力する固定確認回路とを備えた前記表示装置の装着を自動確認する画像表示応用機器において、前記本体コネクタに装着される前記表示装置は少なくとも二つの側面装着確認端子を有する側面コネクタを測面に配置し表示パネルが組み込まれた側面コネクタ型表示装置であり、前記表示パネルはＮ種類の表示パネルから選ばれ、Ｎ≧Ａ≧１とＮ≧Ｘ≧１を満たすＡおよびＸは前記表示パネルの種類を示し、
表示パネルＡおよび表示パネルＸそれぞれが組み込まれた前記表示装置をそれぞれ表示装置Ａ及び表示装置Ｘとし、表示装置Ａと表示装置Ｘは互いに交換して装着され、装着確認端子である前記側面装着確認端子及び本体装着確認端子は互いに一対一で対応し、前記側面装着確認端子間の導通により前記装着を示す装着確認信号を出力する装着確認回路を備え、前記装着確認信号及び固定確認信号の制御により前記表示装置Ａの駆動信号Ａを出力する表示用駆動信号回路を備え、さらに前記側面コネクタは側面識別端子を有し、前記本体コネクタは本体識別端子を有し、識別端子である前記側面識別端子及び本体識別端子は互いに一対一で対応し、前記側面識別端子と前記側面装着確認端子間の導通により前記表示パネルの種類を示す識別信号を出力する識別回路と、前記識別信号の制御により前記駆動信号Ａを前記表示装置Ｘの駆動信号Ｘに設定し前記表示装置Ｘに出力する駆動信号設定出力回路とを備えたことを特徴とする画像表示応用機器。
【請求項２】
前記表示パネルを透過型液晶パネルと反射型液晶パネルと有機ＥＬパネルの３種類とすることを特徴とする請求項１記載の画像表示応用機器。
【請求項３】
表示装置と少なくとも二つの本体装着確認端子を有する本体コネクタと開閉し閉じて前記表示装置を固定する固定カバーと前記固定カバーの開閉を検出するセンサーにより前記表示装置の固定を示す固定確認信号を出力する固定確認回路とを備えた前記表示装置の装着を自動確認する画像表示応用機器において、前記本体コネクタに装着される前記表示装置は少なくとも二つの側面装着確認端子を有する側面コネクタを測面に配置し表示パネルが組み込まれた側面コネクタ型表示装置であり、
装着確認端子である前記側面装着確認端子及び本体装着確認端子は互いに一対一で対応し、前記側面装着確認端子間の導通により前記装着を示す装着確認信号を出力する装着確認回路と、前記装着確認信号及び固定確認信号の制御により前記表示装置の駆動信号を前記表示装置に出力する表示用駆動信号回路とを備えたことを特徴とする画像表示応用機器。
【請求項４】
少なくとも二つの本体装着確認端子を有する本体コネクタと開閉し閉じて前記表示装置を固定する固定カバーと前記固定カバーの開閉を検出するセンサーにより前記表示装置の固定を示す固定確認信号を出力する固定確認回路とを備えた前記表示装置の装着を自動確認する画像表示応用機器本体において、前記画像表示応用機器本体は前記表示装置が前記本体コネクタに装着されて画像表示応用機器となり、前記本体コネクタに装着される前記表示装置は少なくとも二つの側面装着確認端子を有する側面コネクタを測面に配置し表示パネルが組み込まれた側面コネクタ型表示装置であり、前記表示パネルはＮ種類の表示パネルから選ばれ、Ｎ≧Ａ≧１とＮ≧Ｘ≧１を満たすＡおよびＸは前記表示パネルの種類を示し、表示パネルＡおよび表示パネルＸそれぞれが組み込まれた前記表示装置をそれぞれ表示装置Ａ及び表示装置Ｘとし、表示装置Ａと表示装置Ｘは互いに交換して装着され、装着確認端子である前記側面装着確認端子及び本体装着確認端子は互いに一対一で対応し、前記側面装着確認端子間の導通により前記装着を示す装着確認信号を出力する装着確認回路を備え、前記装着確認信号及び固定確認信号の制御により前記表示装置Ａの駆動信号Ａを出力する表示用駆動信号回路を備え、さらに前記側面コネクタは側面識別端子を有し、前記本体コネクタは本体識別端子を有し、識別端子である前記側面識別端子及び本体識別端子は互いに一対一で対応し、前記側面識別端子と前記側面装着確認端子間の導通により前記表示パネルの種類を示す識別信号を出力する識別回路と、前記識別信号の制御により前記駆動信号Ａを前記表示装置Ｘの駆動信号Ｘに設定し前記表示装置Ｘに出力する駆動信号設定出力回路とを備えたことを特徴とする画像表示応用機器本体。
【請求項５】
前記表示パネルの光源であるバックライトが組み込まれたことを特徴とする請求項４記載の画像表示応用機器本体。
【請求項６】
前記側面装着確認端子間を結合し導通させる導体１は、前記側面装着確認端子間に接合された導体とすることと前記表示パネルに形成された導体とすることと前記側面コネクタと前記表示パネルを接続するプリント回路基板に形成された導体とすることからいずれか一つが選択されることと、前記側面識別端子と前記側面装着確認端子間を結合し導通させる導体２は、前記側面識別端子と前記側面装着確認端子間に接合された導体とすることと前記表示パネルに形成された導体とすることと前記側面コネクタと前記表示パネルを接続するプリント回路基板に形成された導体とすることからいずれか一つが選択されることを特徴とする請求項１記載の画像表示応用機器。
【請求項７】
前記側面装着確認端子間を結合し導通させる導体１は、前記側面装着確認端子間に接合された導体とすることと前記表示パネルに形成された導体とすることと、前記側面コネクタと前記表示パネルを接続するプリント回路基板に形成された導体とすることからいずれか一つが選択されることを特徴とする請求項３記載の画像表示応用機器。
【請求項８】
前記画像表示応用機器から前記表示装置を分離してなる画像表示応用機器本体に前記表示パネルの光源であるバックライトが組み込まれることと、前記表示装置に前記表示パネルの光源であるバックライトが組み込まれることからいずれか一つが選択されることを特徴とする請求項３記載の画像表示応用機器。
【請求項９】
前記表示装置のフレームは、両端に凹部が形成された前記側面コネクタと前記両端の凹部それぞれと組み合う凸部が形成されたフレーム材から構成され、前記側面コネクタのそれぞれの凹部を前記フレーム材のそれぞれの凸部にはめ込まれ前記側面コネクタと前記フレーム材が接合した構成とすることを特徴とする請求項３記載の画像表示応用機器。
【請求項１０】
前記画像表示応用機器はデジタル・カメラとデジタル・ビデオカメラとパーソナルコンピュータと携帯型テレビジョン受像機と携帯型テレビジョン電話機とナビゲーション装置と画像データ編集再生機から選ばれることを特徴とする請求項３記載の画像表示応用機器。
【発明の詳細な説明】
【０００１】
【発明の属する技術分野】
この発明は、液晶表示装置及びエレクトロルミネセンス表示装置等の平面型表示装置とその平面型表示装置を容易に交換できるデジタル・カメラ、デジタル・ビデオカメラ及びパーソナルコンピュータ等の画像表示応用機器に関するものである。
【０００２】
【従来の技術】
カメラの電子化技術の急速な進展と普及により、デジタルカメラは遠からず光学式カメラに置き換り、カメラといえば特に断らなくてもデジタルカメラを指すようになるだろう。デジタル・カメラは、先に電子化されたデジタル・ビデオカメラと共にコンパクト、多機能、高機動性、省電力といった特徴とパソコンによる画像編集やインターネットに代表される通信技術の発展とによりさらに進歩し普及していくと思われる。
【０００３】
カメラあるいはビデオカメラ等の電子化は、ＣＣＤ(Charge Cupled Device)に代表される撮像素子、記録媒体として使用される記憶素子、高度に集積された多機能な中央処理装置等の機能素子を生み出す半導体技術に負うところが大きいが、液晶表示装置の果たす役割も小さくはない。
【０００４】
図２８に従来のデジタル・カメラの概略図を示す。７０はデジタル・カメラ本体、７１はモニタ、７２はモニタ画面、１１はビューファインダ、１２はシャッターボタンである。図２９に従来のデジタル・ビデオカメラの概略図を示す。８０はデジタル・ビデオカメラ本体、８１はモニタ、８２はモニタ画面、２１はビューファインダ、２２は撮影ボタン、２３は撮影レンズである。デジタル・カメラあるいはデジタル・ビデオカメラをデジタル撮影機と略する。
【０００５】
このようにデジタル撮影機には被写体を確認するビューファインダに加えて、撮影しようとする被写体あるいは撮影後の画像を表示するモニタ７１，８１が装備されている。モニタ７１，８１には薄型軽量、省電力かつ高画質の液晶表示装置が用いられる。
【０００６】
デジタル撮影機が光学式撮影機（撮像素子や記憶媒体に半導体を使用せず、電子化されていない撮影機）より優れ使いやすい点は、モニタを装備できることにある。デジタル撮影機は、撮影した画像のみならず撮影しようとする画像をモニタ画面に表示できる。
【０００７】
よって、デジタル撮影機を頭上にあげて撮影するなどビューファインダで被写体を確認できないとき、あるいは近接撮影時に撮影画像とビューファインダーで確認される撮影範囲が一致しない場合、熟練者でなくてもモニタ画面により被写体を確認して意図する撮影を容易にできる。光学式撮影機では難しいとされた撮影方法がデジタル撮影機では簡単に実現できるようになった。
【０００８】
撮影機を体から離さなくては撮影できないときや近接撮影時にモニタをビューファインダの代わりに使用でき、撮影後直ちに撮影画像を確認できることから、デジタル撮影機にはモニタの装備が必須となっている。従来のデジタル撮影機７０，８０に図３０の液晶表示装置を図３１の形態で取り付けてモニタ７１，８１としている。
【０００９】
図３０に従来の液晶表示装置を説明する概略図を示す。９２は液晶パネル、９３は液晶パネル９２とデジタル撮影機７０，８０の電子回路とを接続するパネルＦＰＣである。９０は液晶パネル９２をデジタル撮影機７０，８０に固定するパネル固定枠、９１はネジ穴である。従来の液晶表示装置の基本的な構成は液晶パネル９２、パネル固定枠９０、パネルＦＰＣ９３、ＢＬ９４からなる。
【００１０】
液晶パネル９２にはＴＦＴ(Thin Film Transistor)を備え背面光源の光を利用する透過型が用いられる。背面光源はバックライトともいうが、これ以降ＢＬと略する。９４はＢＬ、９５はコネクタ付きリード線でＢＬ９４の駆動電圧をデジタル撮影機７０，８０の電子回路から伝送する。
【００１１】
図３１に従来の液晶表示装置の実装形態を説明する概略図を示す。液晶パネル９２は、振動などでずれないように、ＢＬ９４の上に配置後、パネル固定枠９０とビス９８によってデジタル撮影機７０，８０の内部にしっかりと固定される。
９７はデジタル撮影機７０，８０の電子回路を構成する回路基板である。パネルＦＰＣ９３とコネクタ付きリード線９５は回路基板９７のソケットに接続される。９６はデジタル撮影機７０，８０の化粧カバーである。
【００１２】
図３１に示すように液晶表示装置はデジタル撮影機７０，８０の内部に固定された上、化粧カバー９６で覆われるために簡単には取り外せない。故障や検査あるいは交換のために液晶表示装置を取り外すには、熟練者と準クリーンルームが必要である。従来のデジタル撮影機では、誰もがいつでも液晶表示装置を交換できない。
【００１３】
さらにデジタル撮影機の異なる機種ごとに同じ液晶パネル９０であっても、接続ＦＰＣ９３の仕様の変更が必要な場合が多く、検査工程が煩雑になりかつ液晶表示装置の交換が簡単ではない。
【００１４】
デジタル撮影機は旅行、登山、海水浴、スポーツ、観察記録等など広範囲の分野で利用される。長時間の電池駆動や携帯性を実現するために、光学部品や電子部品の小型軽量化、低消費電力化等の技術及び高密度実装技術が要求される。デジタル撮影機の消費電力の中でＢＬの消費電力が最も大きいが、屋外などの外部光が強い環境下ではＢＬの輝度が相対的に低下し液晶表示装置の画像が極端に見にくくなる。
【００１５】
【発明が解決しようとする課題】
デジタル撮影機７０，８０は電池駆動で長時間動作することが必要条件であるが、ＢＬ９４の電力は低消費電力化のネックとなっている。そのために、必要な場合のみモニタ７１，８１をオンするような工夫がされるが根本的な解決策ではない。さらに、特に日中など太陽光が強い屋外等での条件下ではモニタ画面７２，８２が極端に見にくい。
【００１６】
モニタに反射型液晶表示装置を用いれば、ＢＬが不要でかつ太陽光などの外光が強い条件下で鮮明な画像表示可能であるが、夜など外光が弱い条件下では実用性のある画像表示は得られない。
【００１７】
量産化されつつある有機ＥＬ(Electro Luminescence)表示装置は、ＢＬの必要がなく透過型液晶表示装置に比べ薄型軽量で消費電力の点で優れているが、太陽光が強い屋外等での使用条件下では透過型液晶表示装置と大差がなく、根本的な課題解決にはならない。
【００１８】
デジタル撮影機の使用者が反射型と透過型液晶表示装置あるいは反射型と有機ＥＬ表示装置を併用し使い分けることが解決策として考えられるが、デジタル撮影機の表示装置は使用者が簡単に交換できない。また、簡単に交換可能な平面型表示装置が存在しない。
【００１９】
さらにデジタル撮影機の生産者は、機種ごとに同じ液晶パネル９０であっても、接続ＦＰＣ９３の仕様の変更が必要な場合、対応した検査設備が必要で検査工程が煩雑になりかつ、液晶表示装置の交換には専用の場所と熟練者が必要である。
【００２０】
デジタル撮影機について上記した問題点は、携帯ＴＶ(テレビジョン受像機)、パーソナルコンピュータ等の画像表示応用機器に共通する。
【００２１】
本発明は、交換して使用条件に適した側面コネクタ型表示装置を装着できる画像表示応用機器を提供することを目的し、さらに、種類が異なる表示パネルが取り付けられ、交換可能な当該機器に用いられる側面コネクタ型表示装置及びその製造方法を提供することを目的としている。
【００２２】
【課題を解決するための手段】
上記目的を達成するために、本願請求項１記載の発明は、表示装置と少なくとも二つの本体装着確認端子を有する本体コネクタと開閉し閉じて前記表示装置を固定する固定カバーと前記固定カバーの開閉を検出するセンサーにより前記表示装置の固定を示す固定確認信号を出力する固定確認回路とを備えた前記表示装置の装着を自動確認する画像表示応用機器において、前記本体コネクタに装着される前記表示装置は少なくとも二つの側面装着確認端子を有する側面コネクタを測面に配置し表示パネルが組み込まれた側面コネクタ型表示装置であり、前記表示パネルはＮ種類の表示パネルから選ばれ、Ｎ≧Ａ≧１とＮ≧Ｘ≧１を満たすＡおよびＸは前記表示パネルの種類を示し、表示パネルＡおよび表示パネルＸそれぞれが組み込まれた前記表示装置をそれぞれ表示装置Ａ及び表示装置Ｘとし、表示装置Ａと表示装置Ｘは互いに交換して装着され、装着確認端子である前記側面装着確認端子及び本体装着確認端子は互いに一対一で対応し、前記側面装着確認端子間の導通により前記装着を示す装着確認信号を出力する装着確認回路を備え、前記装着確認信号及び固定確認信号の制御により前記表示装置Ａの駆動信号Ａを出力する表示用駆動信号回路を備え、さらに前記側面コネクタは側面識別端子を有し、前記本体コネクタは本体識別端子を有し、識別端子である前記側面識別端子及び本体識別端子は互いに一対一で対応し、前記側面識別端子と前記側面装着確認端子間の導通により前記表示パネルの種類を示す識別信号を出力する識別回路と、前記識別信号の制御により前記駆動信号Ａを前記表示装置Ｘの駆動信号Ｘに設定し前記表示装置Ｘに出力する駆動信号設定出力回路とを備えたことを特徴とする。これにより、画像表示応用機器は表示パネルの種類が異なる表示装置を自由に交換できるほか、表示装置の装着と固定が自動的に確認できる。
【００２３】
請求項２記載の発明は、請求項１記載の画像表示応用機器において、前記表示パネルを透過型液晶パネルと反射型液晶パネルと有機ＥＬパネルの３種類とすることを特徴とする。これにより、表示パネルに透過型液晶パネルと反射型液晶パネルと有機ＥＬパネルを用いることができる。
【００２４】
請求項３記載の発明は、表示装置と少なくとも二つの本体装着確認端子を有する本体コネクタと開閉し閉じて前記表示装置を固定する固定カバーと前記固定カバーの開閉を検出するセンサーにより前記表示装置の固定を示す固定確認信号を出力する固定確認回路とを備えた前記表示装置の装着を自動確認する画像表示応用機器において、前記本体コネクタに装着される前記表示装置は少なくとも二つの側面装着確認端子を有する側面コネクタを測面に配置し表示パネルが組み込まれた側面コネクタ型表示装置であり、装着確認端子である前記側面装着確認端子及び本体装着確認端子は互いに一対一で対応し、前記側面装着確認端子間の導通により前記装着を示す装着確認信号を出力する装着確認回路と、前記装着確認信号及び固定確認信号の制御により前記表示装置の駆動信号を前記表示装置に出力する表示用駆動信号回路とを備えたことを特徴とする。これにより、画像表示応用機器は表示装置の装着と固定が自動的に確認できる。
【００２５】
請求項４記載の発明は、少なくとも二つの本体装着確認端子を有する本体コネクタと開閉し閉じて前記表示装置を固定する固定カバーと前記固定カバーの開閉を検出するセンサーにより前記表示装置の固定を示す固定確認信号を出力する固定確認回路とを備えた前記表示装置の装着を自動確認する画像表示応用機器本体において、前記画像表示応用機器本体は前記表示装置が前記本体コネクタに装着されて画像表示応用機器となり、前記本体コネクタに装着される前記表示装置は少なくとも二つの側面装着確認端子を有する側面コネクタを測面に配置し表示パネルが組み込まれた側面コネクタ型表示装置であり、前記表示パネルはＮ種類の表示パネルから選ばれ、Ｎ≧Ａ≧１とＮ≧Ｘ≧１を満たすＡおよびＸは前記表示パネルの種類を示し、表示パネルＡおよび表示パネルＸそれぞれが組み込まれた前記表示装置をそれぞれ表示装置Ａ及び表示装置Ｘとし、表示装置Ａと表示装置Ｘは互いに交換して装着され、装着確認端子である前記側面装着確認端子及び本体装着確認端子は互いに一対一で対応し、前記側面装着確認端子間の導通により前記装着を示す装着確認信号を出力する装着確認回路を備え、前記装着確認信号及び固定確認信号の制御により前記表示装置Ａの駆動信号Ａを出力する表示用駆動信号回路を備え、さらに前記側面コネクタは側面識別端子を有し、前記本体コネクタは本体識別端子を有し、識別端子である前記側面識別端子及び本体識別端子は互いに一対一で対応し、前記側面識別端子と前記側面装着確認端子間の導通により前記表示パネルの種類を示す識別信号を出力する識別回路と、前記識別信号の制御により前記駆動信号Ａを前記表示装置Ｘの駆動信号Ｘに設定し前記表示装置Ｘに出力する駆動信号設定出力回路とを備えたことを特徴とする。これにより、画像表示応用機器本体は表示パネルの種類が異なる表示装置を自由に交換できるほか、表示装置の装着と固定が自動的に確認できる。
【００２６】
請求項５記載の発明は、請求項４記載の画像表示機器本体において、前記表示パネルの光源であるバックライトが組み込まれたことを特徴とする。これにより、画像表示応用機器本体はバックライトを有することができる。
【００２７】
本願請求項６記載の発明は、請求項１記載の画像表示応用機器において、前記側面装着確認端子間を結合し導通させる導体１は、前記側面装着確認端子間に接合された導体とすることと前記表示パネルに形成された導体とすることと前記側面コネクタと前記表示パネルを接続するプリント回路基板に形成された導体とすることからいずれか一つが選択されることと、前記側面識別端子と前記側面装着確認端子間を結合し導通させる導体２は、前記側面識別端子と前記側面装着確認端子間に接合された導体とすることと前記表示パネルに形成された導体とすることと前記側面コネクタと前記表示パネルを接続するプリント回路基板に形成された導体とすることからいずれか一つが選択されることを特徴とする。これにより、側面装着確認端子間および側面識別端子と側面装着確認端子間は、端子間を接合する導体あるいは表示パネルに形成された導体あるいはプリント回路基板に形成された導体の導通により、画像表示応用機器は表示装置の装着確認と種類の識別ができる。
【００２８】
請求項７記載の発明は、請求項３記載の画像表示応用機器において、前記側面装着確認端子間を結合し導通させる導体１は、前記側面装着確認端子間に接合された導体とすることと前記表示パネルに形成された導体とすることと、前記側面コネクタと前記表示パネルを接続するプリント回路基板に形成された導体とすることからいずれか一つが選択されることを特徴とする。これにより、側面装着確認端子間は、端子間を接合する導体あるいは表示パネルに形成された導体あるいはプリント回路基板に形成された導体の導通により、画像表示応用機器は表示装置の装着を確認できる。
【００２９】
請求項８記載の発明は、請求項３記載の画像表示応用機器において、前記画像表示応用機器から前記表示装置を分離してなる画像表示応用機器本体に前記表示パネルの光源であるバックライトが組み込まれることと、前記表示装置に前記表示パネルの光源であるバックライトが組み込まれることからいずれか一つが選択されることを特徴とする。これにより、画像表示応用機器は、画像表示応用機器本体と表示装置のいずれか一方にバックライトを内蔵することができる。
【００３０】
請求項９記載の発明は、請求項３記載の画像表示応用機器において、前記表示装置のフレームは、両端に凹部が形成された前記側面コネクタと前記両端の凹部それぞれと組み合う凸部が形成されたフレーム材から構成され、前記側面コネクタのそれぞれの凹部を前記フレーム材のそれぞれの凸部にはめ込まれ前記側面コネクタと前記フレーム材が接合した構成とすることを特徴とする。これにより、着脱可能な薄型の表示装置を備えた画像表示応用機器を実現できる。
【００３１】
請求項１０記載の発明は、請求項３記載の画像表示応用機器において、前記画像表示応
用機器をデジタル・カメラとデジタル・ビデオカメラとパーソナルコンピュータと携帯型
テレビジョン受像機と携帯型テレビジョン電話機とナビゲーション装置と画像データ編集
再生機から選ばれることを特徴とする。これにより、画像表示応用機器をデジタル・カメ
ラとデジタル・ビデオカメラとパーソナルコンピュータと携帯型テレビジョン受像機と携
帯型テレビジョン電話機とナビゲーション装置と画像データ編集再生機とすることができ
る。
【００３３】
【発明の実施の形態】
以下に、本発明の実施の形態における画像表示応用機器について図面を参照しつつ説明する。なお、ここでいう画像表示応用機器とは、デジタル撮影機、携帯型ＴＶ受信機、携帯型ナビゲーション、パーソナルコンピュータ等を含む。ここでいう表示パネルとは信号線と走査線の交点に画素を配置した平面型表示パネルを指す。
【００３４】
（実施の形態１）
画像応用機器においてデジタル・カメラを一例にして説明する。図１は本発明の実施の形態１におけるデジタル・カメラを示す斜視図である。１０はデジタル・カメラ、１１はビューファインダ、１２はシャッターボタン、１８は表示パネルである。
【００３５】
デジタル・カメラ１０に収納部１４を設け、側面コネクタ型表示装置１６を収納部１４に挿入する。収納部１４には本体コネクタ１５が配置されており、側面コネクタ型表示装置１６に設けられた側面コネクタ１７を本体コネクタ１５に差し込み装着してデジタル・カメラ１０内蔵の電子回路に接続される。
【００３６】
図２〜図６の説明で詳述するが、側面コネクタ１７の端子１９には装着確認端子が設けられ、前記電子回路には装着確認回路、固定確認回路、固定確認センサーを含む。
【００３７】
装着確認回路で側面コネクタ型表示装置が本体コネクタ１５に装着されたことが確認される。固定カバー１３を閉じ側面コネクタ型表示装置１６が本体に固定される。固定カバー１３による固定あるいは解除は、センサーで検出され固定確認回路３３ｂで確認される。
【００３８】
側面コネクタ型表示装置１６の装着と固定が確認されれば、駆動信号が側面コネクタ型表示装置１６に送られ画像表示が可能となる。装着しても、固定されなければ、駆動信号は出力されないし、その逆の場合も同様である。
【００３９】
側面コネクタ型表示装置１６は、側面コネクタ１７を側面にはめ込むか、貼り付けるか、あるいは側面をコネクタとして形成したフレームに、表示パネルが組み込まれる構成である。側面コネクタ１７を本体コネクタ１５に差込、固定カバー１３で本体に固定される構造なので側面型表示装置１６の交換が簡易である。
なお、側面コネクタ型表示装置１６についての詳細な説明は後記する。
【００４０】
形状と端子配置が同じ側面コネクタ１７である側面コネクタ型表示装置に、予め有機ＥＬパネル、反射型液晶パネル、透過型液晶パネルを組み込んでおく。デジタル・カメラに表示パネルの種類を識別し、それによって適正な駆動信号が出力される構成とすれば、側面コネクタ型表示装置を交換すれば、種類が異なる表示パネルを任意にデジタル・カメラのモニタに使用できる。
【００４１】
そのためには表示パネルの種類を識別して表示パネルの種類に応じた識別信号を出力する識別回路と識別信号によって表示パネルに応じた駆動信号を出力する駆動信号設定出力回路を従来のデジタル・カメラに加えればよい。
【００４２】
図２にデジタル・カメラ１０のブロック図示す。従来のデジタルカメラの電子回路を本体電子回路３１とする。表示用駆動信号回路３１ｂは側面コネクタ型表示装置１６の電源回路及び基本信号発生回路等から構成され、本体電子回路１３に含まれる。３２は駆動信号設定出力回路、３３は識別回路である。３３ｂは装着確認回路、３３ｃは固定確認回路、３３ｄはセンサーである。
【００４３】
装着確認回路３３ｂは側面コネクタ１７の装着確認端子により側面コネクタ型表示装置１６の装着を確認し、装着確認信号を表示用駆動信号回路３１ｂに出力する。固定確認回路３３ｃはセンサー３３ｄのより側面コネクタ型表示装置１６の固定を確認し、固定確認信号を表示用駆動信号回路３１ｂに出力する。
【００４４】
前記装着確認信号と固定確認信号とにより表示用駆動信号回路３１ｂの電源回路をオン・オフ制御する。例えば、装着が確認された場合に装着信号はHi、固定が確認された場合に固定信号はHiになり、装着及び固定信号が共にHiのときのみ前記電源回路がオンし、側面コネクタ型表示装置１６に駆動信号を出力するとする。
【００４５】
このような構成をとれば、前記電源回路がオフであれば、駆動信号が出力されないので、安全で確実に側面コネクタ型表示装置１６を交換できる。なお、ここでいう駆動信号とは表示パネルの駆動に必要な信号で、電源電圧、画像データ信号、制御信号、駆動電圧等を含むものとする。
【００４６】
固定確認回路３３ｃは、センサー３３ｄをスイッチとし、固定カバー１３にスイッチを取り付け、固定カバー１３が閉じたときスイッチがオンするような構成でもよく、半導体センサー等を用いてもよい。いずれにしても簡単な構成で済む。
【００４７】
３４は表示パネル１８と側面コネクタ１７とを接続するプリント回路基板で、柔軟なフィルムに配線パターンを印刷したフレキシブル・プリント回路基板(Flexible Printed Circuit) が用いられる。以降、フレキシブル・プリント回路基板をＦＰＣと略する。勿論、側面コネクタ１７が表示パネル１８に直接接続されるならばプリント回路基板は必要でない。
【００４８】
側面コネクタ型表示装置１６は側面コネクタ１７、ＦＰＣ３４と表示パネル１８から構成される。識別回路３３は側面コネクタ１７に設けた識別端子により表示パネル１８の種類に対応した識別信号を出力する。
【００４９】
識別信号により本体電子回路３１と駆動信号設定出力回路３２を制御して適正な駆動信号を側面コネクタ型表示装置１６に出力する。よって、適正な画像表示がされる。
【００５０】
図３（Ａ）に側面コネクタ１７と図３（Ｂ）に本体コネクタ１５の端子配置の一例を示す。側面コネクタ１７は本体コネクタ１５に差し込まれ、図示する同じ端子番号の端子が接続される。端子数は４６とする。
【００５１】
図４は前記の装着確認端子と識別端子の配線を示す図である。なお、図中の太線と丸印については後記する。図中の記号は図３の端子番号である。側面コネクタ１７において、端子1A、1B、2A識別端子に、端子2Bと3Aを装着確認端子に用いる。種類が異なる表示パネルＡ、Ｂ、Ｃについて、それぞれの側面コネクタ１７に図４の配線をする。
【００５２】
従って、側面コネクタ型表示装置１６は組み込まれる表示パネルによって側面コネクタ１７の配線が異なる。図４では３種類の表示パネルの場合であるが、識別配線に使用する端子数を多くすれば、表示パネルを種類を増やせるが、３種類位が望ましい。
【００５３】
図５に装着確認回路３３ｃと識別回路３３の一例を示す。装着確認回路３３ｃは装着確認端子と組み合わせて装着確認信号を出力し、識別回路３３は識別端子と組み合わせて表示パネル１８の種類に対応した識別信号を発生する。1A〜3Aは図４の端子番号、Vccは電源電圧、OUTa、OUT1〜OUT3は識別信号出力端子、OUT4は装着確認信号出力端子である。
【００５４】
図５（Ａ）は第１の識別回路で装着確認回路を兼用し、装着確認信号と識別信号を電圧値として出力する。図４の配線と組み合わせれば、識別信号の電圧値は表示パネルＡ、Ｂ、Ｃついて(1/2)*Vcc、(1/3)*Vcc、(1/4)*Vccとなる。
【００５５】
側面コネクタ型表示装置１６が未装着のとき、識別信号の電圧値はVccとなるので、３種類の表示パネルの識別と側面コネクタ型表示装置１６の装着確認ができる。勿論、装着したときHi(Vcc)レベルとするにはインバータを加えれば済む。
【００５６】
図５（Ｂ）は第２の識別回路及び装着確認回路で、識別及び装着確認信号をデジタル値で出力する。図５（Ｂ）の回路と図４の配線を組み合わせれば、装着確認信号出力端子は未装着のときLo(接地)で装着のときHi(Vcc)、表示パネルＡ、Ｂ、Ｃついて、識別信号出力端子OUT1〜OUT3の組はそれぞれ(Hi,Lo,Lo)、(Lo,Hi,Lo)、(Lo,Lo,Hi)となる。
【００５７】
識別信号に基づき駆動信号設定出力回路３２は表示パネル１８に適した駆動信号を側面コネクタ型表示装置１６に出力する。図６（Ａ）に駆動信号の一例を、図６（Ｂ）に駆動信号設定出力回路３２の一例を示す。
【００５８】
駆動信号の中で電源電圧、制御信号等のロジック信号は異なる表示パネルでも共用可能であるが、駆動電圧は異なる場合が生ずる。図６（Ａ）に示す駆動信号は駆動電圧の一例である。
【００５９】
種類の異なる表示パネルに換えた場合に駆動電圧のセンタ電圧Vcと振幅Vppが変わる場合、図６（Ｂ）に駆動信号設定出力回路３２により表示パネルに適した駆動電圧に設定し出力すればよい。３５ａと３５ｂはアナログスィッチ、３６は演算増幅器である。Vrefは基準電圧を表す。
【００６０】
入力端子ｉｎに駆動電圧が加えられれば、出力端子outに適正に設定された駆動電圧が出力される。演算増幅器３６は非反転増幅器として動作するから、R2〜R4で振幅Vppが定まり、R5〜R7でセンタ電圧Vcが決定する。
【００６１】
識別信号によりアナログスィッチ３５ａ、３５ｂをオンオフすれば、センタ電圧Vcと振幅Vppが変わる。予め表示パネルに適した駆動電圧になるように抵抗値を定めておけば、異なる種類の表示パネルに対して適正な駆動電圧が得られる。
【００６２】
従来のデジタル・カメラもモニタを有するから、本体電子回路３１に１種類の表示パネルに対応した駆動電圧発生回路が含まれているので（表示用駆動信号回路３１ｂ）、表示用駆動信号回路３１ｂにアナログスィッチ等を加えれば駆動信号設定出力回路３２を実現でき、異なる表示パネルに対応した駆動電圧を識別信号により得られる。
【００６３】
図６（Ｂ）は異なる駆動電圧を識別信号によって出力する一例を説明するための図で、実際には本体電子回路３１と共用化が図れるために少数の回路部品を付加するだけ済む。
【００６４】
このように、従来のデジタル・カメラに比較的簡単な構成の電子回路を付加し、本体コネクタを付けた収納部を設ければ側面コネクタ型表示装置を装着できるデジタル・カメラを実現できる。
【００６５】
反射型液晶パネルを組み込んだ側面コネクタ型表示装置を装着すれば、低消費電力、軽量で外光を利用するので登山や海水浴等の屋外撮影に最適である。透過型液晶表示パネルを組み込んだ側面コネクタ型表示装置を装着すれば屋内撮影に最適であろう。このように撮影目的によって表示パネルを自由に交換できる。
【００６６】
表示パネルの組み合わせてとして、透過型液晶パネルと反射型表示パネル、あるいは有機ＥＬパネルと反射型液晶パネルの組み合わせが適するが、中でも有機ＥＬパネルと反射型液晶パネルの組み合わせが最も望ましい。
【００６７】
勿論、表示パネルの種類が異なっても駆動信号が同じである場合、同じ種類の表示パネルしか使用しない場合は、駆動信号設定出力回路は不要である。
【００６８】
なお、図４に示す配線は側面コネクタ１７の端子１９に直接配線してもよく、プリント回路基板３４に形成してもよく、あるいは表示パネル１８に形成してもよいが、その形成される配線は図４の太線と丸印で示す部分である。丸印は表示パネル１８あるいはプリント回路基板３４の接続端子を示す。図４の太線と丸印で示す部分の配線を装着識別配線とする。
【００６９】
装着確認端子あるいは識別端子は側面コネクタ１７の定まった端子１９に設けなければ、その機能を果たせないないので、図４の端子配線となるように側面コネクタ１７と装着識別配線を形成したプリント回路基板３４とを接続するか、あるいは側面コネクタ１７と装着識別配線を形成した表示パネル１８とを接続しなければならい。
【００７０】
表示パネルの識別をする必要がない場合、当然であるが装着識別配線は装着を確認する配線のみでよい。表示パネル１８に装着確認配線を形成することが好ましいが、接続端子が増える。この場合に、アルミあるいはＩＴＯ(Indium Tin Oxide)を用いて配線すればよい。
【００７１】
以上、デジタル・カメラを例にとり、側面コネクタ型表示装置を交換して装着でき、さらに使用条件に適した表示パネルで画像表示できる画像表示応用機器を説明した。
【００７２】
（実施の形態２）
第２の実施例として、デジタル・ビデオカメラを一例として説明するが、図１に示すデジタル・カメラと同様の構成をとるので、同じ符号と詳細な説明は省略する。
【００７３】
図７は本発明の実施の形態２におけるデジタル・ビデオカメラを示す斜視図である。２０はデジタル・ビデオカメラ、２１はビューファインダ、２２は撮影ボタン、２３は撮影レンズ、２７はモニタである。
【００７４】
モニタ２７に収納部２４を設け、側面コネクタ型表示装置２８を収納部２４に挿入する。収納部２４には本体コネクタ２６が備えられ、側面コネクタ型表示装置２８の側面コネクタ２９を本体コネクタ２６に差し込んでデジタル・カメラ２０に装着する。固定カバー２５を閉じて側面コネクタ型表示装置２８を本体に固定して装着が完了する。
【００７５】
デジタル・ビデオカメラ２０のブロック図は図２と同様である。よって、側面コネクタ型表示装置２８は側面コネクタ、プリント回路基板３４と表示パネル３０から構成される。
【００７６】
従って、装着確認回路で側面コネクタ型表示装置２８が本体コネクタ２９に装着されたことが確認され、固定カバー２５を閉じ側面コネクタ型表示装置２８が本体に固定される。固定カバー２５による固定あるいは解除は、センサーで検出され固定確認回路で確認される。
【００７７】
側面コネクタ型表示装置２８の装着と固定が確認されれば、駆動信号が側面コネクタ型表示装置２８に送られ画像表示が可能となる。
【００７８】
また、識別回路は側面コネクタ２９に設けられる識別端子により表示パネルの種類に対応した識別信号を出力し、識別信号により本体電子回路と駆動信号設定出力回路を制御して適正な駆動信号を側面コネクタ型表示装置２８に出力して画像表示がされる。装着端子、識別端子、装着確認回路、固定確認回路、識別回路、装着識別配線、及び、駆動信号設定調整回路は図２〜図６と同様でよい。
【００７９】
側面コネクタ型表示装置１６は側面コネクタの配置が上部側面であるのに対し、側面コネクタ型表示装置２８では右側面に配置される。このように側面コネクタは画像表示応用機器に装着し易い側面に配置することができる。
【００８０】
上記したデジタル・カメラ１０と同様に、デジタル・ビデオカメラ２０についても、側面コネクタ型表示装置に異なる種類の表示パネルを組み込んでおけば、使用条件に適した側面コネクタ型表示装置を自由に交換して良好な画像表示ができる。その効果は実施の形態１と同様である。
【００８１】
（実施の形態３）
デジタル撮影機以外の画像表示応用機器における実施例を簡単に説明をする。
図８は実施の形態３におけるデジタル撮影機以外の画像表示応用機器を示す模式図である。
【００８２】
図８（Ａ）は携帯型テレビジョン受信機あるいは携帯型テレビジョン電話機、図８（Ｂ）はナビゲーション装置あるいは画像データ編集再生機、図８（Ｃ）はパーソナルコンピュータについての模式図である。図８の画像表示応用機器についても、その基本構成と効果は図１のデジタル・カメラと同様である。
【００８３】
携帯型テレビジョン受信機あるいは携帯型テレビジョン電話機３７ａは対角線長が３インチ程度の表示画面で、側面コネクタ型表示装置２８ａをデジタル撮影機と共用でき、活用範囲が広がる。
【００８４】
ナビゲーション装置あるいは画像データ編集再生機３７ｂ、パーソナルコンピュータ３８ｃの画面サイズは６インチ以上あるが側面コネクタ型表示装置２９ｂと２９ｃを共用できる。パーソナルコンピュータ３７ｃを長時間使用すると目が疲れる。表示画面の輝度が高く、周囲が暗い場合にこの傾向が強いが、反射型液晶表示パネルを使用すればかなり軽減される。
【００８５】
このように表示装置が交換可能な画像表示応用機器は、用途が広がり、側面コネクタ型表示装置を異なる機種の画像表示応用機器で共用化できるという効果も期待できる。
【００８６】
（実施の形態４）
実施の形態４における側面コネクタ型表示装置について図面に基づいて説明する。図９に実施の形態４における側面コネクタ型表示装置の正面図、側面図及び断面図を示す。
【００８７】
２９ａは側面コネクタ、３０ａは表示パネル、３４ａはＦＰＣ、３８ａはフレーム材、１９はコネクタ端子、３９は裏板、４０は表板、４４は位置決め板、４１は表示枠である。断面図はＸ−Ｘ’線上の断面を示す。正面図の点線は側面コネクタ２９ａと表示パネル３０ａを示す。
【００８８】
側面コネクタ２９ａはフレーム材３８ａにはめ込まれる。従って、フレームは側面コネクタ２９ａとフレーム材３８ａからなる。フレームに組み込まれた表示パネル３０ａはＦＰＣ３４ａを介して側面コネクタ２９ａに接続されている。
【００８９】
位置決め板４４によって、表示パネル３０ａをフレームに位置決め固定し、フレームの下側から裏板３９を上側から表板４０をフレームに貼り付けて、側面コネクタ型表示装置が完成する。なお、表板４０には表示画面に表示枠４１が取り付けられている。
【００９０】
フレーム材には樹脂が望ましいが、強度を高めるために金属を一部に使用しても良い。表板３９と裏板４０はフレームに組み込まれた表示パネル３０ａを押さえ込み動かないように固定すると同時に、側面コネクタ型表示装置の強度を確保する役割を果たすために、金属を用いることが望ましい。
【００９１】
また、表示パネル３０ａを保護するために表板３９と裏板４０の裏側にプラスチックフィルム等のシートを貼り付けても良い。
【００９２】
図１０は図９に示す側面コネクタ型表示装置の斜視図である。図１１（Ａ）にＦＰＣ３４ａを介して側面コネクタ２９ａに接続された表示パネル３０ａの正面図を、図１１（Ｂ）にフレーム材３８ａの正面図を示す。
【００９３】
有機ＥＬあるいは液晶パネルは透明な二枚の基板（通常はガラスである。）を貼り合わせた構成をとる。４５と４６はそれぞれ表示パネル３０ａの下基板と上基板である。上基板４６を画像表示面とする。
【００９４】
表示パネル３０ａは図の矢印で示すようにフレーム材に挿入され、凹部（図に記載）が形成された側面コネクタ２９ａをフレーム材３８ａの凸部（図に記載）にはめ込み、フレームに組み込まれる。
【００９５】
図１１（Ｂ）のフレーム材３８ａのＹ−Ｙ’断面図を図１２に示す。図１２（Ａ）に示すように、表示パネル３０ａの基板４５の端面（図１１（Ａ）に記載）が入る溝と基板４６の端面が接するようにフレーム材３８ａのａ及びｂ（図１１（Ｂ）に記載）を作り、表示パネル３０ａがフレーム材３８ａに固定される構造としている。
【００９６】
基板４５と４６の端面が一致するような場合、あるいは基板４５に駆動ＩＣが実装されており前記の溝に表示パネル３０ａが挿入できない場合は、図１２に示すように、パネル固定板をフレーム材３８ａと基板４６の間隙に挿入する構造にして表示パネル３８ａと位置決めと固定をすればよい。
【００９７】
このようにフレームがフレーム材３８ａに側面コネクタ３４ａがはめ込まれ、側面を側面コネクタとする一体型のフレームに表示パネル３０ａが組み込まれるため、側面コネクタ型表示装置は単純な構成となり薄型にできる。
【００９８】
図面は省略するが、一側面を側面コネクタとするフレームを製造（成形や押し出し等による）してもよい。当然、製造工程にコネクタの組立、加工や配線が含まれる。このようなフレームを側面コネクタとフレームとが一体成形されたフレームとする。
【００９９】
側面コネクタを一体化したフレームを用いれば、側面コネクタ型表示装置の構造が比較的単純なり、製造も容易になる。表示パネルが小さい場合に、一体化したフレームは有効と思われる。また、フレーム材に側面コネクタを貼り付ける構成でもよいことはいうまでもない。
【０１００】
図１３に基づいて側面コネクタ型表示装置の組立を説明する。図１３は図９の側面コネクタ型表示装置の組立図である。ＦＰＣ３４ａを表示パネル３０ａと側面コネクタ２９ａに取り付け、それをフレーム材３８ａに側面コネクタ２９ａを取り付ける側面から挿入する。
【０１０１】
側面コネクタ２９ａをフレーム材３８ａにはめ込みフレームを組み立てる。フレームに位置決め板４４をはめ込んで表示パネル３０ａを位置決め固定する。フレームの下側と上側に裏板３９と表板４０を貼り付け表示パネル３０ａをフレーム内に組み込む。
【０１０２】
なお、表示パネル３０ａをフレーム内に組み込み固定するために、必要に応じて裏板３９及び表板４０のフレーム固定面側に樹脂フィルム等を貼り付けてもよい。裏板３９と表板４０は接着剤でフレームに貼り付ける、あるいはフレームにはめ込んでもよい。勿論、併用してもよい。
【０１０３】
また、ＦＰＣ３４ａは、通常、片方の端子を表示パネル３０ａに熱圧着等で実装後、他方の端子を側面コネクタ３４ａに実装する。側面コネクタ２９ａの実装はフレーム材に表示パネル３０ａを挿入後にしてもよい。ＦＰＣ３４ａを圧着あるいは半田付けにより側面コネクタ２９ａに実装すればよい。
【０１０４】
勿論、側面コネクタ２９ａにＦＰＣ３４ａを実装し、フレーム材３８ａにはめ込み後、フレーム材３８ａに挿入された表示パネル３０ａにＦＰＣ３４ａを実装する方法もある。この方法は、側面コネクタ３４ａをフレームの側面として一体成形で作る場合に適当である。
【０１０５】
このように側面コネクタ型表示装置は比較的簡易に組み立てることができる。
従来デジタル撮影機等の画像表示応用機器に表示パネルを組み込むことと比較すれば、簡易な組立である。
【０１０６】
なお、図９から図１３まで、反射型液晶パネルあるいは有機ＥＬパネル等の背面光源（ＢＬ）がいらない表示パネル３０ａを想定して説明した。図９の表示パネル３０ａに透過型液晶パネルを使う場合、裏板３９にＢＬの光窓を空けて、画像表示応用機器にＢＬを組み込んでおかなければならない。
【０１０７】
そうすれば、表示パネル３０ａに透過あるいは反射型液晶パネルあるいは有機ＥＬパネルを図９に示す形状の側面コネクタ型表示装置に組み込める。当然、画像表示応用機器のＢＬは、透過型表示パネルの場合のみ点灯することになるが、識別信号を用いれば容易に実現できる。
【０１０８】
同一形状で同一端子配置の側面コネクタを備えた側面コネクタ型表示装置に透過あるいは反射型液晶パネルあるいは有機ＥＬパネルを組み込むことは容易で、そうすれば、側面コネクタ型表示装置の交換により、同じ画像表示応用機器で透過あるいは反射型液晶パネルあるいは有機ＥＬパネルを使用できる。
【０１０９】
ここで表示パネルについて若干の説明をしておく。この発明の表示パネルとは画素がマトリクス状に配置された平面型表示パネルを指す。図１４に比較的小型（４乃至３インチ以下）の表示パネルに適用される回路構成図を示す。
【０１１０】
５３は信号線、５４は走査線、５５は画素である。５６は共通電極、５７は信号線電極、５８は走査線電極である。なお、画素５５にはＴＦＴが配設されている。５９ａは信号線駆動回路、６０ｂは走査線駆動回路である。
【０１１１】
信号線駆動回路５９ａと走査線駆動回路６０ａは表示パネルに外縁に形成されるポリシリコンタイプと、表示パネルの信号線電極５７と走査線電極５８に実装される実装タイプに大別される。側面コネクタ型表示装置にはどちらのタイプでも適用できるが、ポリシリコンタイプが望ましい。また、今後はポリシリコンタイプが主流になると思われる。
【０１１２】
図示する入力電圧は前記した駆動信号である。Vcomは表示パネルの動作点を定める共通電極電圧、Vgは走査線に加えられる走査線駆動電圧、Vsは信号線に加えられる信号線駆動電圧である。Ctgは走査線駆動回路の制御信号、Ctsは信号線駆動回路の制御信号である。Vdは駆動回路の電源電圧である。
【０１１３】
透過型及び反射型液晶パネルと有機ＥＬパネルは図１４で表され、駆動信号もほぼ同じである。これらのマトリクス状の平面型パネルは、画素にＴＦＴを配設する構成をとるからである。ただ、前記したように、Vg、Vs、Vcomは若干の相違がある場合が生じるので、そのとき駆動電圧調整出力回路が必要となる。駆動信号の総数は１６位である。
【０１１４】
図１５にＦＰＣと側面コネクタとの接続の一例を示す。図１５（Ａ）は側面コネクタ２９ａの端子を正面から見た図である。図１５（Ｂ）はＦＰＣ３４ａと側面コネクタ２９ａとの接続を示す模式図である。
【０１１５】
１〜１６Ｐは表示パネル３０ａに接続される。使用される表示パネルの画面サイズは約１．５インチ以上であるので、画面の短辺長は約２３ｍｍ（アスペクトが４：３のとき）となる。側面コネクタ２９ａの端子ピッチが１ｍｍであれば図の１Ａ〜２３Ａまでの間隔は約２２ｍｍに収まり、端子を２列に配列した側面コネクタ２９ａであれば最小の表示パネルについても支障なく用いられる。
【０１１６】
表示パネル３０ａの厚さは２ｍｍ以下にでき、厚さの薄い側面コネクタ２９ａを用いれば薄型の側面コネクタ型表示装置が実現できる。画面サイズが異なる側面コネクタ型表示装置に最小サイズの表示パネルに使用される側面コネクタの端子配置と端子ピッチ使用すれば、画像表示応用機器において、約１．５インチ以上の画面サイズの側面コネクタ型表示装置を共用することが可能となる。なお、接続端子１９の方向は図１６（Ａ）に示す方向、あるいは図１６（Ｂ）に示す方向のいずれでもよい。
【０１１７】
（実施の形態５）
次に実施の形態５における側面コネクタ型表示装置について図面に基づいて説明する。図９にＢＬがない側面コネクタ型表示装置を説明した。透過型液晶表示装置にはＢＬが必要である。
【０１１８】
図１７に基づいてＢＬの概略構成を説明する。５１ａは蛍光管である。蛍光管はインバータで駆動される。５１ｂはリード付きコネクタでインバータと極蛍光管５１ａとを接続する。５１ｃは反射板、５０は導光板、５２ａは拡散シート、５２ｂは反射シートである。ＢＬとを必要とするために、透過型液晶表示装置は厚くなり消費電力が大きい。なお、図１７のＢＬにインバータを組み込んだものもＢＬと呼ばれる。本発明ではどちらのＢＬでもよい。
【０１１９】
図１８に実施の形態４における側面コネクタ型表示装置の正面図、側面図及び断面図を示す。図１８の側面コネクタ型表示装置を側面コネクタ型表示装置とする。図１８の側面コネクタ型表示装置はＢＬをフレーム内部に組み込む以外は図９の側面型表示装置と同様であるので、同符号の説明は省略する。
【０１２０】
フレーム材３８ｂにはＢＬ収納部４７が設けられる。図９に比べて、フレームの形状は厚くなり、裏板３９ｂが異なる。それ以外は図９と同様である。
【０１２１】
図１９に図１８の側面コネクタ型表示装置の斜視図を示す。図２０は図１８の側面コネクタ型表示装置の組立図であるが、図１１とほぼ同様である。異なる点は側面型コネクタ２９ａにＢＬ電源端子４９を設け、フレーム材３８ｂにＢＬ４８を組み込むことである。
【０１２２】
図２０の組立の手順は幾通りかが想定されるが、フレーム材に表示パネル３０ａを挿入し側面コネクタ２９ａをはめ込んだ後、ＢＬ４８を位置決め収納し裏板３９ｂを取り付ける。ついで、位置決め板４４をはめ込み、表板４０を取り付ける場合とＢＬ４８収納後、表示パネル３０ａと側面コネクタ２９ａとを組み込み表板を取り付けるどちらの手順でも良い。
【０１２３】
なお、リード線付きコネクタ５１ｂはＢＬ端子４９に差し込まれる。当然であるが、コネクタを用いず圧着あるいは半田付け等でリード線を直接取り付けてもよい。
【０１２４】
ＢＬ内蔵の側面型表示装置は側面コネクタを底面に配置する構成が考えられる。図１８は画像表示面と同じ面に配置した側面コネクタ型表示装置とし、第１の側面コネクタ型表示装置とする。図２１に実施の形態５における第２の側面コネクタ型表示装置の正面図、側面図及び断面図を示す。
【０１２５】
図２１は側面コネクタを底面に配置した側面コネクタ型表示装置で、図１８とほぼ同様の構成である。異なる点は、フレーム材３８ｃの形状が異なること、ＦＰＣ３４ｂの長さが長くなること、位置決め板４４ｂと表板４０の形状が異なることである。それ以外は図１８と同様である。当然、第１と第２の側面コネクタ型表示装置の厚さは同じにできる。
【０１２６】
図２２に図２１の側面コネクタ型表示装置の斜視図を示す。図２３は図２１の側面コネクタ型表示装置の組立図であるが、図２０とほぼ同様であるが、ＢＬ４８をフレーム材３８ｃに収納し裏板３９を取り付けた後、表示パネル３０ａを挿入し側面コネクタ２９ａをはめ込んだ方が組立し易い。それ以外は、図２０と同じである。
【０１２７】
図１８と図２１の側面コネクタ型表示装置の相違は側面コネクタ２９ａの取り付け位置だけである。使用する画像表示応用機器とデザインにあわせてどちらかを用いればよい。画像表応用機器にＢＬを内蔵しなくて済むが、反射型液晶表示パネルあるいは有機ＥＬ表示パネル等を組み込んだ側面コネクタ型表示装置と形状が異なるので、画像表示応用機器の設計に注意を要する。
【０１２８】
図１８の側面コネクタ型表示装置は側面コネクタが画像表示面と同じ面にくるので、画像表示応用機器にＢＬ収納部の厚さだけ無駄なスペースを作れるのなら、図１８の側面コネクタ型表示装置が適当である。
【０１２９】
逆にＢＬを必要としない側面コネクタ型表示装置を主に使う前提とする画像表示応用機器には図２１の側面コネクタ型表示装置が適当である。図１８及び図２１の側面コネクタ型表示装置は図９の側面コネクタ型表示装置と基本的に同様で同じ効果を発揮する。
【０１３０】
（実施の形態６）
次に実施の形態５における側面コネクタ型表示装置について図面に基づいて説明する。本来、基板４５と基板４６を貼り合わせたものを表示パネルと呼んだが、基板上に駆動回路を形成するポリシリコンタイプが開発され、駆動回路をパネルのみに限る必要性も小さく、表示パネルに駆動回路を組み合わせＦＰＣを実装したものを表示パネルと呼ぶ。
【０１３１】
このタイプは比較的小型の図９の表示パネル３０ａに該当する。さらに、画素数が多く、画面サイズが大きいテレビジョン受信機あるいはコンピュータのモニタに使用される中型以上の表示パネルについても、表示パネル単体でなく、駆動回路、制御回路、電源回路を組み合わせたものを含めて表示パネルと呼ぶことにする。
【０１３２】
但し、側面コネクタと表示パネルを接続するプリント回路基板は、表示パネルに含めない。それは、側面コネクタを導線で直接表示パネルと接続（ワイヤー・ボンディング）する場合等、必ずプリント回路基板を介して側面コネクタと表示パネルを接続するのでないからである。従って、プリン回路基板３４、３４ａ、３４ｂと３４ｃは表示パネルに含まれない。
【０１３３】
図２４に中型以上の表示パネルに適用される回路構成を説明するブロック図示す。図１３と同じ符号については説明を省略する。５９ｂと６０ｂはそれぞれ信号線駆動回路と走査線駆動回路である。このタイプは図１４とは異なり、画素数が多く高画質が要求されるので、信号線駆動回路５９ｂはデジタル画像信号を用いる。６１は電源回路、６２は制御回路である。
【０１３４】
電源回路６１は必要な駆動電圧が発生するので入力される電圧は電源電圧Ｖｄで済む。制御回路６２はゲートアレイ等により必要な制御信号を発生するので、入力される信号はクロック、同期信号、画像データ信号でよい。小型の表示パネルと比べると駆動信号の種類は少なく、駆動信号設定出力回路３２の構成が簡単になり、側面コネクタ型表示装置を交換する場合に有利になる。
【０１３５】
図２５は図２４の表示パネルの概略構成を説明する図である。３０ｂは表示パネルそのもの、４５ｂと４６ｂはそれぞれ表示パネル３０ｂの下基板と上基板である。
【０１３６】
６３は信号線駆動ＩＣで信号線駆動回路５９ｂを構成し、６４は走査線駆動ＩＣで走査線駆動回路６０ｂを構成する。６５は各信号線駆動ＩＣと信号線回路基板６５とを接続する信号線側ＦＰＣ、６６は各走査線駆動ＩＣと走査線回路基板６５とを接続する走査線側ＦＰＣである。６９は信号線回路基板６７と走査線回路基板６８とを接続する基板間ＦＰＣである。
【０１３７】
このように中型以上の表示パネルは小型に比べて複雑な回路構成で、表示パネルと呼ぶより表示装置といった方が適切であるが本発明では図２４あるいは図２５を表示パネルとする。
【０１３８】
図２６に実施の形態６における側面コネクタ型表示装置の正面図、側面図及び断面図を示す。点線はフレーム材３８ｄに組み込まれた表示パネル３０ｂと駆動回路６３と６４，信号線及び走査線側回路基板６８と６９を示す。
【０１３９】
側面コネクタ２９ｂは、フレーム材３８ｄにはめ込まれる。表示パネル３０ｂは周縁に駆動ＩＣ、回路基板等が配置されるので、フレーム材３８ｄには図１２（Ｂ）に近い状態で組み込まれる。表示パネルの位置決めあるいは固定のために、図２７に示す位置板４４ｃにより表示パネルとフレーム材３８ｄの間に、図２７に示す位置板４４ｃを画像表示面からはめ込む。
【０１４０】
なお、側面コネクタ２９ｂをフレーム材３８ｄに貼り付けてもよいし、あるいはフレーム材と同時に成形してなる側面コネクタでもよい。また、側面コネクタの端子１９をＦＰＣ３４ｃを介さずに、直接信号線あるいは走査線側回路基板６８と６９のいずれかに接続してもよい。
【０１４１】
図９，図１８及び図２１の側面コネクタ型表示装置と異なる点は表示パネルが中型以上であることと、表示パネル３９ｂの外形が大きくなるため、側面コネクタ２９ｂがフレーム材３８ｄの側面の一部にはめ込まれ一側面を側面コネクタとすることであるが、それ以外は、図９の側面コネクタ型表示装置と基本的に同じであり、その効果も同様である。勿論、側面コネクタ２９ｂが、側面コネクタ２９ａのように一側面となる形状であってもよい。
【０１４２】
図２６の組み立て図は省略するが、図１８と同様である。勿論、図２１と同じく側面コネクタ２９ｂを底面に配置してもよい。反射型液晶表示パネルあるいは有機ＥＬパネルでは図９と同様の形状でよく、その場合にＢＬ収納部４７ｃは必要ない。また、ＢＬ収納部に蛍光管を駆動するインバータを組み込んでもよい。
【０１４３】
但し、中型以上の表示パネルと小型の表示パネルとでは、画像信号が異なるため、互換性はなく、側面コネクタの端子配置も同じにできない。小型表示パネルでは画像信号はアナログ信号でその数も少ない。中型以上の表示パネルでは画像信号はデジタル信号で２４の２４程度の数がある。
【０１４４】
図２６の側面コネクタ型表示装置の駆動信号は、上記したように駆動電圧、制御信号等は内蔵される回路で発生されるから、その種類は少ない。表示パネルが異なる場合、駆動信号の中で、クロック信号、水平同期信号あるいはデータ信等は必要に応じて若干の設定変更を必要とするかも知れない。詳述した識別配線、識別回路、駆動信号設定出力回路を用いれば対応できる。
【０１４５】
図６で説明したような駆動電圧の振幅を設定するようなことは少なく、クロック信号等のデジタル信号の設定変更（周波数やタイミングの変更）になるので、簡単なデジタル技術で対応できる。
【０１４６】
装着確認回路と固定確認回路等は詳述した実施例と同様である。装着識別配線は、表示パネルの信号線及び走査線側回路基板６７、６８、ＦＰＣ３４ｃ（プリント回路基板でもよい）、あるいは表示パネル３０ｂに形成できる。図２５の場合には、走査線側回路基板６８に形成するか、あるいはＦＰＣ３４ｃに形成するのが実用性が高い。
【０１４７】
表示パネルが大型になるので、側面コネクタ型表示装置の装着と固定を確実にできる対策が必要である。本体コネクタあるいは側面コネクタに信頼性が高く強度の強いものを用いることがも望ましいし、場合によってはネジ等でしっかりと固定することも必要である。
【０１４８】
また、消費電力、特にＢＬ付きの場合に大きくなるので、側面コネクタ型表示装置の電源の制御は安全で信頼性の高いことが好ましい。さらに、表示パネルの組み合わせとして、反射型液晶パネルと有機ＥＬパネルが望ましい。
【０１４９】
最後に、表示パネルの種類について断っておく。表示パネルの種類とはパネルの構成あるいは構造が基本的に異なることを意味する。有機ＥＬパネルは自発光型で受光型の液晶パネルと基本的に異なる。反射型と透過型液晶パネルはパネルに外光を反射する反射層を有する点で基本的に相違する。このように構成あるいは構造が違うパネルを種類が異なるとしている。
【０１５０】
同じ構造のパネルでも、画素数が異なる場合に異なる種類になる。勿論、この場合も本願発明は適用できる。種類の異なる表示パネルを使い分けて、表示パネルの電気光学特性を十分に発揮させることが主である。
【０１５１】
【発明の効果】
本発明は、以上説明したように構成されるので、以下に記載する効果を奏する。
【０１５２】
画像表示応用機器に表示装置として側面コネクタ型表示装置を用いることにより、表示装置を自由に交換できるほか、画像表示応用機器に装着確認回路と固定確認回路を備えることにより、表示装置の装着と固定が自動的に確認できる。
【０１５３】
そして、透過型液晶パネル、反射型液晶表示パネル及び有機ＥＬパネル等の種類が異なる表示パネルを側面コネクタ型表示装置に組み込むことにより、使用条件に適した表示パネルを使い分けて使用することが容易にできる。
【０１５４】
そして、画像表示応用機器に識別回路と駆動信号設定出力回路を設けたことにより、種類が異なる表示パネルを識別して適正な駆動信号を出力できる。
【０１５５】
さらに、側面コネクタ型表示装置の故障による画像表示応用機器の検査と修理に特別な場所あるいは熟練者を必要としない。
【０１５６】
また、側面コネクタをフレーム材にはめ込みあるいは貼り付けて一側面とするフレームに表示パネルを組み込むことにより、自由に交換できるうえ薄型の側面コネクタ型表示装置を実現できるほか、側面コネクタに装着確認端子を設けたことにより、画像表示応用機器おいて側面コネクタ型表示装置の装着を自動的に確認できる。
【０１５７】
さらに、フレームの成形において側面コネクタを形成することにより、構造が簡単な側面コネクタ型表示装置を実現できる。
【０１５８】
さらに、側面コネクタ型表示装置に異なる種類の表示パネルを組み込むことにより、画像表示応用機器において異なる表示パネルによる画像表示が簡単にできるほか、側面コネクタに識別端子を設けたことにより、画像表示応用機器おいて表示パネルの識別を識別して適正な駆動信号を出力できる。
【０１５９】
さらに、表示パネルに装着識別配線を形成すること、あるいはプリント回路基板に装着識別配線を形成することとにより、画像表示応用機器において、側面コネクタ型表示装置の装着確認と表示パネルの種類を識別することができる。
【０１６０】
さらに、フレームにＢＬ収納部を設けることによりＢＬ内蔵の側面コネクタ型表示装置を容易に実現できる。
【０１６１】
さらに、側面コネクタの形状と端子配置を同じにすることにより、機種が異なる画像表示応用機器の表示装置として装着でき、互換性を高めることができる。
【０１６２】
また、フレーム材に表示パネルを挿入して、側面コネクタをフレーム材にはめ込みあるいは貼り付けてフレームとすることにより、表示パネルをフレームに組み込むことが容易になるほか、ＢＬをフレームに組み込みこともを容易にできるうえ、最終検査が容易になるので、側面コネクタ型表示装置を簡易に製造することができる。
【図面の簡単な説明】
【図１】本発明の実施の形態１におけるデジタル・カメラの一例を示す斜視図
【図２】図１のデジタル・カメラを説明するブロック図。
【図３】図１に用いる側面コネクタと本体コネクタの端子配置の一例を示す図。
【図４】図１に用いる側面コネクタの装着確認端子と識別端子の配線を示す図。
【図５】装着確認回路３３ｃと識別回路３３の一例を示す。
【図６】駆動信号の一例と駆動信号設定出力回路の一例を示す図。
【図７】本発明の実施の形態２におけるデジタル・ビデオカメラの一例を示す斜視図
【図８】実施の形態３におけるデジタル撮影機以外の画像表示応用機器を示す模式図
【図９】実施の形態４における側面コネクタ型表示装置の正面図、側面図及び断面図を示す図
【図１０】図９の側面コネクタ型表示装置の斜視図
【図１１】ＦＰＣを介して側面コネクタに接続された図９の表示パネルの正面図と図９のフレームの正面図。
【図１２】図１１のフレーム材のＹ−Ｙ’断面図を示す図
【図１３】図９の側面コネクタ型表示装置の組立を説明する図
【図１４】比較的小型の表示パネルに適用される回路構成を説明するブロック図
【図１５】ＦＰＣと側面コネクタとの接続の一例を示す模式図
【図１６】本発明の実施の形態５における第１の側面コネクタ型表示装置の正面図、側面図及び断面図を示す図
【図１７】図１７の側面コネクタ型表示装置の斜視図
【図１８】図１７の側面コネクタ型表示装置の組立を説明する図
【図１９】バックライトの概略構成図
【図２０】側面コネクタの端子方向を説明する図
【図２１】本発明の実施の形態５における第２の側面コネクタ型表示装置の正面図、側面図及び断面図を示す図
【図２２】図２１の側面コネクタ型表示装置の斜視図
【図２３】図２１の側面コネクタ型表示装置の組立を説明する図
【図２４】中型以上の表示パネルに適用される回路構成を説明するブロック図
【図２５】図２４の表示パネルの概略構成を説明する図
【図２６】本発明の実施の形態６における側面コネクタ型表示装置の正面図、側面図及び断面図を示す図
【図２７】図２６の側面型表示装置に用いる位置決め板の平面図
【図２８】従来のデジタル・カメラの概略図
【図２９】従来のデジタル・ビデオカメラの概略図
【図３０】従来の液晶表示装置を説明する概略図
【図３１】従来の液晶表示装置の実装形態を説明する概略図
【符号の説明】
１０  デジタル・カメラ
１１，２１  ビューファインダー
１２  シャッターボタン
１３，２５，２５ａ，２５ｂ，２５ｃ  固定カバー
１４，２４，２４ａ，２４ｂ，２４ｃ  収納部
１５，２６，２６ａ，２６ｂ，２６ｃ  本体コネクタ
１６，２８，２８ａ，２８ｂ，２８ｃ  側面コネクタ型表示装置
１７，２９，２９ａ  側面コネクタ
１８，３０  表示パネル
１９  端子
２０  デジタル・ビデオカメラ
２３  撮影レンズ
２７  モニタ
３１  本体電子回路
３２  駆動信号設定出力回路
３３  識別回路
３３ｂ  装着確認回路
３３ｃ  固定確認回路
３３ｄ  センサー
３４，３４ａ，３４ｂ，３４ｃ  ＦＰＣ
３５ａ，３５ｂ  アナログスィッチ
３６  演算増幅器
３７ａ  携帯型テレビジョン受信機あるいは携帯型テレビジョン電話機
３７ｂ  ナビゲーション装置あるいは画像データ編集再生機
３７ｃ  パーソナルコンピュータ
３８ａ，３８ｂ，３８ｃ，３８ｄ  フレーム材
３９，３９ｂ  裏板
４０，４０ｂ  表板
４１  表示枠
４２  パネル固定材
４４，４４ｂ，４４ｃ  位置決め板
４５，４５ｂ  下基板
４６，４６ｂ  上基板
４７ａ，４７ｂ，４７ｃ  ＢＬ収納部
４８  ＢＬ
４９  ＢＬ電源端子
５０  導光板
５１ａ  蛍光管
５１ｂ，９５  コネクタ付きリード線
５１ｃ  反射板
５２ａ  拡散シート
５２ｂ  反射シート
５３  信号線
５４  走査線
５５  画素
５６  共通電極
５７  信号線電極
５８  走査線電極
５９ａ，５９ｂ  信号線駆動回路
６０ａ，６３ｂ  走査線駆動回路
６１  電源回路
６２  制御回路
６３  信号線駆動ＩＣ
６４  走査線駆動ＩＣ
６５  信号線側ＦＰＣ
６６  走査線側ＦＰＣ
６７  信号線側回路基板
６８  走査線側回路基板
６９  基板間ＦＰＣ
７０  従来のデジタル・カメラ
７１，８１  モニタ
７２，８２  モニタ画面
７３，８３  ビューファインダー
７４  シャッター
８０  従来のデジタル・ビデオカメラ
８４  撮影スィッチ
８５  撮影レンズ
９０  パネル固定枠
９１  ネジ穴
９２  液晶パネル
９３  パネルＦＰＣ
９４  ＢＬ
９６  本体カバー
９７  回路基板
９８  固定用ビス
【図１】
0003698429.tif 000002
【図２】
0003698429.tif 000003
【図３】
0003698429.tif 000004
【図４】
0003698429.tif 000005
【図５】
0003698429.tif 000006
【図６】
0003698429.tif 000007
【図７】
0003698429.tif 000008
【図８】
0003698429.tif 000009
【図９】
0003698429.tif 000010
【図１０】
0003698429.tif 000011
【図１１】
0003698429.tif 000012
【図１２】
0003698429.tif 000013
【図１３】
0003698429.tif 000014
【図１４】
0003698429.tif 000015
【図１５】
0003698429.tif 000016
【図１６】
0003698429.tif 000017
【図１７】
0003698429.tif 000018
【図１８】
0003698429.tif 000019
【図１９】
0003698429.tif 000020
【図２０】
0003698429.tif 000021
【図２１】
0003698429.tif 000022
【図２２】
0003698429.tif 000023
【図２３】
0003698429.tif 000024
【図２４】
0003698429.tif 000025
【図２５】
0003698429.tif 000026
【図２６】
0003698429.tif 000027
【図２７】
0003698429.tif 000028
【図２８】
0003698429.tif 000029
【図２９】
0003698429.tif 000030
【図３０】
0003698429.tif 000031
【図３１】
0003698429.tif 000032